(57)【特許請求の範囲】
【請求項１】
媒体内の信号伝搬時間を計測して流速を検出する流速検出手段と、検出した流速から流量を演算する流量演算手段と、流量値の変化より変化周期を計測する周期計測手段と、変化周期より脈動を判定する脈動判定手段と、脈動と判定した時に流量演算手段の出力値を平均化する平均演算手段と、平均演算手段で求めた流量を器具流量として記憶する流量登録手段と、その器具流量での使用時間を計測する使用時間計測手段と、使用時間計測値が異常使用量か否かを判定する異常判定手段と、異常使用量と判定した時媒体流路を遮断する遮断手段とを備えたことを特徴とするガス遮断装置。
【請求項２】
媒体内の信号伝搬時間を計測して流速を検出する流速検出手段と、検出した流速から流量を演算する流量演算手段と、流量演算手段の出力信号より流量の変化が増加方向か減少方向かを検出する変化勾配検出手段と、検出した流量の変化が増加方向および減少方向の一方から他方に変化する時点から次の時点までの期間である変化周期を検出する周期計測手段と、変化周期毎に、その変化周期中に検出した流量値を記憶する流量記憶手段と、周期計測手段と流量記憶手段より流量変動を検出したとき脈動と判定する脈動判定手段と、脈動と判定したとき流量記憶手段の記憶値より、脈動と判定された変化周期においてその間に計測した流量値の平均値を求める平均演算手段と、平均演算手段で求めた流量を器具流量として記憶する流量登録手段と、その器具流量での使用時間を計測する使用時間計測手段と、使用時間計測値が異常使用量か否かを判定する異常判定手段と、異常使用量と判定した時媒体流路を遮断する遮断手段とを備えたことを特徴とするガス遮断装置。
【発明の詳細な説明】
【０００１】
【発明の属する技術分野】
本発明はガス遮断装置に関し、特に配管内を流れる各種媒体、例えば都市ガスやＬＰガスなどの流速を検出してその流速変化より使用状態が安全か否かを監視するガス遮断装置に関するものである。
【０００２】
【従来の技術】
従来のこの種のガス遮断装置としては、例えば特開平９−２１６６７号公報等に開示されたものが知られている。その一例を、図３を参照して説明する。図３において、３１は媒体流路、３２、３３は超音波を送受信する第１と第２の振動子であり、第１振動子３２と第２振動子３３は媒体流路３１の上流側と下流側に対向して設置されている。３４は第１振動子３２に超音波信号を送信する送信回路、３５は第２振動子３３で受信した信号を増幅する増幅回路である。３６は増幅された信号を基準信号と比較して基準信号より大きい場合に信号を出力する比較回路である。３７は超音波の発信から受信までの時間をタイマカウンタで計測する計時手段である。これら送信回路３４から計時手段３７にて計測回路３８が構成されている。
【０００３】
３９は計時手段３７にて検出された超音波伝搬時間に基づいて媒体流路３１の大きさ、流れの状態を考慮して流量値を求める流量演算手段である。４０は流量演算手段３９の値によって測定周期の変更を行う周期可変手段、４１は周期可変手段４０からの指示信号に応じて信号送出タイミング信号を送信回路３４に対して出力する計測開始手段である。
【０００４】
４２は流量演算手段３９の演算終了を検出する計測終了手段、４３は演算終了に同期して計測回路３８の電圧を低下させ、また計測開始手段４１による計測開始と同期して電圧を復帰させる電圧制御手段、４４は流量演算手段３９で求めたガス使用量から異常な使用状態かどうかを判定する異常判定手段、４５は異常判定手段４４で異常と判定されたとき媒体流路３１を遮断する遮断手段、４６はその異常の内容を表示又は報知する報知手段である。
【０００５】
次に、以上の構成における動作を説明する。都市ガス、ＬＰガス等の媒体ガスの流れる媒体流路３１内において、計測開始手段４１からの信号により送信回路３４からバースト信号が送出され、第１振動子３２から発信された超音波信号は流体管路３１の流れの中を伝搬し、第２振動子３３で受信され、さらに増幅回路３５と比較回路３６で信号処理され、発信から受信までの時間が計時手段３７で測定される。この発信から受信までの時間に基づいて流量演算手段３９にて流量が演算される。
【０００６】
流量が大きい時は計時サンプリングの間隔を速くして誤差を小さくする必要があり、流量が小さい時或いは流量０の時は計測サンプリングの間隔を遅くしても殆ど誤差を生じない。よって、流量演算手段３９の値に応じて計測間隔が変更される。流量演算手段３９の値が小さい時は、周期可変手段４０で計測時間の間隔が大きくされ、流量演算手段３９の値が大きくなるに伴って計測時間の間隔が小さくされる。
【０００７】
また、計測と計測の間は計測回路３８の電圧が低減される。流量演算手段３９によって流量計測を終了すると、計測終了手段４２から信号が出力され、電圧制御手段４３で計測回路３８の電圧が下げられるか、０にされ、計測開始手段４１による計測開始前に電圧制御手段４３により計測回路３８の電圧が元に復帰される。
【０００８】
また、ガス管が外れて所定時間間隔内でのガス使用量が異常に多くなったり、ガス漏れによって通常あり得ないような長期間にわたって継続使用されている場合のような異常な使用状態となったときには、流量演算手段３９で求めたガス使用量から異常判定手段４４にてこの異常使用状態を判定し、遮断手段４５にて媒体流路３１を遮断するとともに、その異常の内容を報知手段４６にて表示又は報知する。
【０００９】
【発明が解決しようとする課題】
ところで、上記従来の構成では異常な使用状態のときには媒体流路３１が遮断されるとともにその状態が報知されるが、次のような問題があった。例えばガス配管の場合、ガス配管が分岐された隣家で、あるいは下流側で圧力変動を生ずるガス機器、例えばガスエンジン式冷暖房機（以下ＧＨＰ等と略す）を使用された場合、ガス圧力変動により流速が変化し、それに連動して流量値が変化するため、使用しているガス器具の流量はどの値か特定し難く、そのため通常使用する時間以上にガス器具を長時間使用した場合に異常な使用として判定する際に、流速値の変動によってそのガス器具の器具流量が特定できず、長時間使用による異常判定を適正に行うことができないという問題があった。
【００１０】
本発明は、上記従来の問題点に鑑み、分岐管路や下流側でガス圧力変動を生じるようなガス器具が使用されている場合でも、使用されているガス器具の器具流量を特定して使用状態が安全か否かを監視できるガス遮断装置を提供することを目的としている。
【００１１】
【課題を解決するための手段】
本発明のガス遮断装置は、媒体内の信号伝搬時間を計測して流速を検出する流速検出手段と、検出した流速から流量を演算する流量演算手段と、流量値の変化より変化周期を計測する周期計測手段と、変化周期より脈動を判定する脈動判定手段と、脈動と判定した時に流量演算手段の出力値を平均化する平均演算手段と、平均演算手段で求めた流量を器具流量として記憶する流量登録手段と、その器具流量での使用時間を計測する使用時間計測手段と、使用時間計測値が異常使用量か否かを判定する異常判定手段と、異常使用量と判定した時に媒体流路を遮断する遮断手段とを備えたものである。
【００１２】
この構成により、隣家もしくは下流側でＧＨＰ等のガス圧力変動を引き起こす器具が使用された場合、流量変動の変化周期を計測してその変化により脈動と判定し、脈動として判定したときは流量の平均値を求めて器具流量として記憶し、その器具流量での使用時間を計測し、計測結果が所定の判定時間を越えた場合、使用時間異常と判定し、媒体流路を遮断するので、器具の使用状態を安全に監視することができる。
【００１３】
また、本発明のガス遮断装置は、媒体内の信号伝搬時間を計測して流速を検出する流速検出手段と、検出した流速から流量を演算する流量演算手段と、流量演算手段の出力信号より流量の変化が増加方向か減少方向かを検出する変化勾配検出手段と、検出した流量の変化が増加方向および減少方向の一方から他方に変化する時点から次の時点までの期間である変化周期を検出する周期計測手段と、変化周期毎に、その変化周期中に検出した流量値を記憶する流量記憶手段と、周期計測手段と流量記憶手段より流量変動を検出したとき脈動と判定する脈動判定手段と、脈動と判定したとき流量記憶手段の記憶値より、脈動と判定された変化周期においてその間に計測した流量値の平均値を求める平均演算手段と、平均演算手段で求めた流量を器具流量として記憶する流量登録手段と、その器具流量での使用時間を計測する使用時間計測手段と、使用時間計測値が異常使用量か否かを判定する異常判定手段と、異常使用量と判定した時媒体流路を遮断する遮断手段とを備えたものである。
【００１４】
この構成により、上記のようにガス圧力変動が生じた場合、流量演算手段で求めた流量値からその変化勾配を求め、プラスまたはマイナスの所定の変化勾配時の計測流量値を記憶するとともに、流量変化の周期を周期計測手段で検出し、脈動判定手段で流量変化周期と記憶した流量値とによって圧力変動による脈動か否かを判定し、流量記憶手段の流量値から変動期間の平均値を求め、その平均流量を器具流量として特定化し、その器具流量での使用時間を計測し、計測時間が所定の使用時間を越えた場合、ガス器具の使用時間異常と判定し、遮断手段で媒体流路を遮断するので、圧力変動による流量変動により器具を特定できず、その使用時間が分からないために、使用時間を監視できないというようなことがなく、ガス器具の使用状態を安全に監視できる。
【００１５】
【発明の実施の形態】
以下、本発明のガス遮断装置の一実施形態を図１を参照して説明する。図１において、１はＬＰＧ等のガス媒体の媒体流路であり、超音波を送受信する上流側振動子２と下流側振動子３が対向して設置されている。Ａはガス媒体の流れる方向を示す。４は流速検出手段で、上流側と下流側の振動子２、３間で超音波信号を一方から他方に発信し、その伝搬時間から使用ガスの流速を検出する。
【００１６】
流速検出手段４は、切替手段５と、送信手段６と、受信手段７と、繰返手段８と、伝搬時間計測手段９にて構成されている。送信手段６と受信手段７は切替手段５に接続され、切替手段５はまず送信手段６を上流側振動子２に、受信手段７を下流側振動子３に接続し、次は送信手段６を下流側振動子３に、受信手段７を上流側振動子２に接続するというように交互に送信手段６と受信手段７の接続先を切り替える。
【００１７】
切替手段５により下流側振動子３に送信手段６を、上流側振動子２に受信手段７を接続した状態で、送信手段６から発信された超音波信号は下流側振動子３より媒体流路１を伝搬し、上流側振動子２を経て受信手段７にて受信され、この超音波信号の送信から受信までの動作を繰返手段８にて繰り返し行い、伝搬時間計測手段９にてその間の信号伝搬時間を計測する動作を繰り返し行い、送信から受信までの時間を累積する。
【００１８】
次に、切替手段５により上流側振動子２に送信手段６を、下流側振動子３に受信手段７を接続した状態で、上記と同様の動作を繰り返し行う。伝搬時間計測手段９は最初受信して求めた伝搬時間と、次に切替手段５にて切り替えた後計測した伝搬時間とから伝搬時間差を求める。
【００１９】
１０は流量演算手段で、求めた伝搬時間差より流速を求め、さらに流量値に換算する。１１は周期計測手段で、流量演算手段１０で求めた流量値の変化より流量変化周期を求める。１２は脈動判定手段で、周期計測手段１１で計測した流量変化周期が所定値以下のとき、圧力変動を生じるガス機器の使用による脈動であると判定する。周期計測手段１１で変化周期を検出できなかった場合、圧力変動による流量変動等の脈動は無いと判定する。
【００２０】
１３は平均演算手段で、脈動判定手段１２で圧力変動等による流量変化、すなわち脈動ありと判定されたとき、流量演算手段１０の出力信号を所定期間計測して平均流量を求める。一方、脈動判定手段１２で脈動なしと判定されたとき、特に平均演算処理を行う必要はなく、演算による余分な電力消費を削減できる。１４は流量登録手段で、平均演算手段１３で求めた流量値、又は脈動のない場合は流量演算手段１０で演算した流量値をそのまま、使用しているガス器具の器具流量として登録する。
【００２１】
１５は使用時間計測手段で、流量登録手段１４に器具流量が登録されると、ガス器具の使用が開始されたとして、そのガス器具の使用時間を計測する。１６は使用時間設定手段で、ガス遮断装置で使用可能な流量域を複数分割し、各々の流量域に対応するガス器具の使用可能な時間を設定した使用時間設定値を有している。
【００２２】
１７は異常判定手段で、使用時間計測手段１５で計測した使用時間と、流量登録手段１４に登録したガス使用量に対応して使用時間設定手段１６から読み出した使用時間設定値とを比較し、その器具の使用状態としてあり得ない異常な長時間使用状態かどうかを判定する。例えば、ストーブ等の器具を通常使用する場合の最大使用時間よりはるかに長い時間を使用制限時間として設定し、各器具毎に設定したこれらの使用制限時間を使用時間遮断値テーブルとして使用時間設定手段１６に格納してあり、異常判定手段１７は使用時間計測手段１５の出力値が使用時間設定手段１６の設定値を越えたかどうかを監視する。
【００２３】
１８は遮断手段で、異常判定手段１７にて異常と判定されて遮断信号が出力されたとき、媒体流路１を遮断する。異常判定手段１７でガスの使用状態が異常と判定し、遮断手段１８が作動した場合、遮断状態や遮断内容は報知手段１９の液晶表示素子やＬＥＤ素子等に表示するとともに、ガスの安全監視を行う保安センタに電話回線等を介して通信機能により通報する。
【００２４】
次に、以上の構成の動作を説明する。ガス遮断装置が設置されている媒体流路１に対してガス圧力変動を生じさせる器具、例えばＧＨＰ等が媒体流路１を介して隣家に接続されているときには、ＧＨＰ等のガス器具が使用されると、ＧＨＰ等の圧力変動が伝搬し、ガス遮断装置の流量計測に種々の影響を与える。或いはガス圧力変動を生じるガス器具を需要家宅が保有し、ガス遮断装置の下流側に設置されている場合も、そのようなガス器具を使用されると圧力変動し、この圧力変動中に流量計測することがある。このような異常な圧力変動状況下で、流速検出手段４により流速を検出すると、圧力が高くなると流速は大きくなり、逆に圧力が低下すると流速値が小さくなり、圧力変動に連動して急激に変化する流速値が検出される。
【００２５】
ここで、流速検出手段４にて流速を検出する動作を説明する。媒体流路１内で斜向設置された上流側振動子２と下流側振動子３との間で超音波信号を送受信するが、まず切替手段５により上流側振動子２に送信手段６を接続し、下流側振動子３に受信手段７が接続する。この状態で送信手段６から発信された信号を上流側振動子２から下流側振動子３を介して受信手段７で受信する。この動作を繰返手段８に設定された回数だけ繰り返し、いわゆるシングアラウンド系を構成する。送信手段６より発信された超音波信号を受信手段７が受信するまでの伝搬時間を累積し、その時間を伝搬時間計測手段９で求める。
【００２６】
次に、切替手段５は下流側振動子３に送信手段６を接続し、上流側振動子２に受信手段７を接続する。この状態で送信手段６から発信された信号を下流側振動子３から上流側振動子２を介して受信手段７で受信する。上記と同様にこの動作を繰返手段８に設定された回数だけ繰り返す。送信手段６より発信された超音波信号を受信手段７が受信するまでの伝搬時間を累積し、その時間を伝搬時間計測手段９で求め、さらに上流から下流へ超音波信号を発信した時の伝搬時間と下流から上流へ発信した時の伝搬時間とから伝搬時間差を求める。次に、流量演算手段１０で、その伝搬時間差を流速値Ｖに換算し、さらに流速値Ｖを流量値Ｑに換算する。
【００２７】
次に、流量演算手段１０で求めた流量値より周期計測手段１１で、今回流量値と前回流量値とから流量偏差を求め、流量偏差があれば周期計測を開始する。偏差が所定範囲以内ならば変動無しとする。変化周期は、流量変化が増加方向か減少方向かの傾向により求める。ここで、流量変化周期は一定周期の繰り返しとは限らず、不定周期の変動となる場合がある。さらに、所定周期以下ならば圧力変動等による流量変化として判定できる。所定周期以上の長い緩やかな変動の場合、計測毎の流量変化は現れず、流動変動とは見なさなくて済む。これにより、脈動判定手段１２にて周期計測手段１１で流量変化方向の切替毎の周期信号を検出すると、圧力変動を生じるガス器具を使用していると判定する。即ち、脈動状態と判定する。変化周期がない場合は脈動状態では無しと判定する。
【００２８】
次に、脈動判定手段１２で圧力変動による流量変化ありと検出したとき、平均演算手段１３は流量演算手段１０の出力信号を所定期間計測し、移動平均などの方法により平均流量を求める。次に、求めた平均流量を流量登録手段１４に使用しているガス器具の器具流量として登録する。一方、脈動判定手段１２で脈動無しと判定したときは、特に平均演算処理を行う必要はないので速く使用しているガス器具の器具流量の登録処理を行え、演算による余分な電力消費を削減できる。器具流量が登録されると、使用時間計測手段１５によりガス器具使用開始として使用時間の計測を開始する。
【００２９】
使用時間設定手段１６は、ガス遮断装置で使用可能な流量域を分割し、各々の流量域に対応したガス器具において使用可能な使用時間設定値を有している。次に、異常判定手段１７で、使用時間計測手段１５で計測した使用時間と、流量登録手段１４に記憶された器具流量に対応した使用時間設定値とを比較し、異常な長時間使用状態かどうかを判定する。
【００３０】
異常判定手段１７でガスの使用状態が異常と判定された時には、遮断信号が遮断手段１８に出力されて媒体流路１を遮断する。また、異常判定手段１７で異常と判定し、遮断手段１８を駆動した場合、遮断状態や遮断内容を報知手段１９の液晶表示素子やＬＥＤ素子等に表示するとともに、ガスの安全監視を行っている保安センタに電話回線などを介して通信する。また、需要家のガス使用状態を監視しているセンタから需要家に対し、ガス器具使用の注意勧告を行ったりすることができる。
【００３１】
このようにして、同一器具が継続して使用されているのに、器具流量が定まらないために使用時間の判定ができないということが無くなり、また異常に長時間使用されているのに継続使用時間を計測できず、ガス供給を停止できないというようなことが無くなる。
【００３２】
すなわち、圧力変動を生ずるガス器具を使用された場合圧力変動により流速検出手段４により検出される流速値が変化するが、求めた流量値より周期計測手段１１で所定時間以下の変動周期を検出すると脈動判定手段１２で圧力変動等の原因による脈動と判定し平均演算手段１３で変動流量より平均値を求め、求めた流量値を器具流量として登録し特定化し、同時に器具の使用時間を計測開始し、結果使用時間が使用時間設定手段１６の設定値を超えると異常な長時間使用と判断し、遮断手段１８を駆動しガスの供給を停止するが、流量値の変化周期より脈動判定手段１２で流量値が脈動していると判定すると平均流量を求めることにより使用器具のガス流量を特定化し登録でき、かつガス使用時間計測が可能となり、また流量値が変動することにより別の新たなガス器具を使用していると誤判定することもなく、かつ流量が変動しているため１台の器具しか使用していないのにその使用時間計測できなかったりするという不具合がなく、ガス器具の異常な長時間使用を防止でき、脈動時でもガス器具使用の安全監視を行える。
【００３３】
以上により、ガス遮断装置が設置された上流で若しくは下流で圧力変動を伴うガス器具使用により流量の脈動状態が発生しても、ガス器具の使用時に圧力変動による急激な流速又は流量変化を検出すると、その脈動流量より平均値を求め、器具流量として代用するので、器具の使用時間を適切に計測して監視することができ、また保安センタを通じて器具の長時間使用の警告勧告を出したり、最悪の場合供給ガスを遮断することが可能で、正確にガスの使用状態を監視し、信頼性、安全性、使い勝手が向上する。
【００３４】
次に、本発明のガス遮断装置の他の実施形態を図２を参照して説明する。なお、上記実施形態と同一の構成要素については同一の参照番号を付して説明を省略し、主として相違点について説明する。
【００３５】
図２において、２０は変化勾配検出手段で、流速検出手段４で検出した流速信号に基づいて流量演算手段１０で換算した流量値より、流量の変化方向が増加方向か減少方向かを検出する。２１は流量記憶手段で、変化勾配検出手段２０で求めた流量の変化勾配が反転するまでに計測した流量値を記憶する。つまり、同一変化勾配傾向を示す期間に計測した流量値を記憶する。そして、周期計測手段１１と流量記憶手段２１の出力値を脈動判定手段１２に入力している。
【００３６】
次に、以上の構成の動作を説明する。上記実施形態と同様に流速検出手段４の検出値に基づいて流量演算手段１０で流量値が求められて変化勾配検出手段２０に入力される。変化勾配検出手段２０では前回流量と今回流量とから流量値の変動方向、即ち流量の変化勾配を検出する。次に、流量の増加方向および減少方向の一方から他方への変化を検出すると、計測した流量値を変化勾配検出手段２０で検出した流量の変化方向毎に流量記憶手段２１に記憶する。一方、周期計測手段１１では変化勾配検出手段２０で流量値の変化勾配が変化すると周期計測を開始し、次の流量値の変化勾配が変化するまでの時間、すなわち、流量の変化が増加方向および減少方向の一方から他方に変化する時点から次の時点までの期間である変化周期を計測する。流量記憶手段２１からの流量値信号と周期計測手段１１からの周期信号とが脈動判定手段１２に入力されると、圧力変動等による脈動流量と判定する。脈動状態と判定されると、平均演算手段１３では流量記憶手段２１に記憶された流量値より、脈動と判定された変化周期における流量値の平均を求める。
【００３７】
以後、上記実施形態と同様に求めた平均流量を流量登録手段１４に使用器具の器具流量として登録し、使用時間計測手段１５によりガス器具使用開始として使用時間を計測する。次に、異常判定手段１７で、使用時間計測手段１５で計測した使用時間と、使用時間設定手段１６にて設定されている使用時間設定値とを比較し、異常な長時間使用状態かどうかを判定し、異常判定手段１７でガスの使用状態が異常と判定された時には、遮断信号が遮断手段１８に出力されて媒体流路１を遮断し、また遮断状態や遮断内容を報知手段１９の液晶表示素子やＬＥＤ素子等に表示するとともに、ガスの安全監視を行っている保安センタに電話回線などを介して通信する。また、需要家のガス使用状態を監視しているセンタから需要家に対し、ガス器具使用の注意勧告を行ったりすることができる。
【００３８】
このようにしてガス遮断装置が設置された上流でもしくは下流で圧力変動を伴うガス器具使用により流量の脈動状態が発生しても、ガス器具使用時発生する圧力変動により急激な流速変化を検出すると、その脈動流量より平均値を求め器具流量として特定し、代用するので、器具の使用時間を計測でき監視できると共に、又保安センタを通じて器具の長時間使用の警告勧告を出したり、最悪の場合供給ガスを遮断することが可能で正確にガスの使用状態を流速で監視しその信頼性、安全性や使い勝手が向上する。
【００３９】
【発明の効果】
本発明のガス遮断装置によれば、以上のように媒体内の信号伝搬時間を計測して流速を検出し、検出した流速から流量を演算し、流量値の変化より変化周期を計測し、変化周期より脈動を判定し、脈動と判定した時に演算した流量値を平均化し、平均演算した流量を器具流量として記憶し、器具流量での使用時間を計測し、使用時間計測値が異常使用量か否かを判定し、異常使用量と判定した時に媒体流路を遮断するように構成したので、隣家もしくは下流側でＧＨＰ等のガス圧力変動を引き起こす器具が使用されて脈動が生じた場合でも、平均流量値で媒体の使用時間を適切に計測して計測結果が所定の判定時間を越えた場合にガスを遮断できるので、器具の使用状態を安全に監視することができる。
【００４０】
また、上記流量値より流量の変化勾配を検出し、検出した変化勾配から変化周期を検出し、所定の変化勾配時の流量値を記憶し、これらによって流量変動を検出したとき脈動と判定し、脈動と判定したとき記憶した流量値より所定の変化勾配の間の流量値の平均値を求めて器具流量として記憶し、器具流量での使用時間を計測し、使用時間計測値が異常使用量か否かを判定し、異常使用量と判定した時に媒体流路を遮断するように構成しても、同様にガス器具の使用状態を安全に監視できる。
【図面の簡単な説明】
【図１】本発明のガス遮断装置の一実施形態の構成を示すブロック図である。
【図２】本発明のガス遮断装置の他の実施形態の構成を示すブロック図である。
【図３】従来例のガス遮断装置の構成を示すブロック図である。
【符号の説明】
４  流速検出手段
１０  流量演算手段
１１  周期変化検出手段
１２  脈動判定手段
１３  平均演算手段
１４  流量登録手段
１５  使用時間計測手段
１６  使用時間設定手段
１７  異常判定手段
１８  遮断手段
２０  変化勾配検出手段
２１  流量記憶手段
【図１】
0004197218.tif 000002
【図２】
0004197218.tif 000003
【図３】
0004197218.tif 000004